(57)【要約】【課題】ガス抜き用の通路部分が簡単な構造で、且つガス抜きが容易確実なダイカスト用金型を提供する。【解決手段】成型用キャビティ１６に連通するガス抜き通路３０を形成するガス抜き用ブロック１３，１４を備える。各ガス抜き用ブロック１３，１４は、互いに対向する複数の波状の凸条部２０と凹溝部２２を有し、この凸条部２０と凹溝部２２は、互いに対向した状態で所定間隔の隙間を形成し、この隙間がガス抜き通路３０として成型用キャビティ１６に連通する。一方のガス抜き用ブロック１４は、凹溝部２２を備えた波状部構成部材２４と、この波状部構成部材２４の基部２４ａを収容し固定した凹形状の保持部材２６とで構成される。波状部構成部材２４の基部２４ａは、端部に向かうに従い広がり互いに対向した一対の側面によるテーパ部３２を備え、保持部材２６の収容部３４はこのテーパ部３２が嵌合する凹形状に形成されている。【選択図】      図１
2004249350.tif 000002
【特許請求の範囲】
【請求項１】
一対の成型用金型から成り、この成型用金型には成型用キャビティに連通するガス抜き通路を形成するガス抜き用ブロックが設けられ、各ガス抜き用ブロックは互いに対向する複数の波状部を有し、この波状部は互いに対向した状態で所定間隔の隙間を形成し、この隙間がガス抜き通路として上記成型用キャビティに連通し、上記ガス抜き用ブロックは、上記波状部を備えた波状部構成部材とこの波状部構成部材の基部を収容し固定した凹形状の保持部材とで構成されていることを特徴とするダイカスト用金型。
【請求項２】
上記波状部構成部材の基部は、端部に向かうに従い広がり互いに対向した一対の側面によるテーパ部を備え、上記保持部材の収容部はこのテーパ部が嵌合する凹形状に形成されていることを特徴とする請求項１記載のダイカスト用金型。
【請求項３】
上記波状部は、角を丸めた台形波状または矩形波状に形成されていることを特徴とする請求項１または２記載のダイカスト用金型。
【発明の詳細な説明】
【０００１】
【発明の属する技術分野】
この発明は、金属のダイカスト成形を行うための金型に用いられるガス抜き部の構造に関する。
【０００２】
【従来の技術】
【特許文献１】実公平８−７９７０号公報
従来、金属製品のダイカスト成型に用いられる金型は、製品を成型する一対の金型から成り、その金型の一端に設けられ溶融金属である溶湯を注入する湯口と、溶湯が流れる湯道と、製品成形用のキャビティを備える。さらに、このキャビティにはガス抜き用の通路が形成されている。そして、この金型をダイカスト成型装置に取り付け、溶湯がキャビティ内に送り込まれて成型が行なわれる。ここで、このダイカスト用金型のガス抜き用の通路は特許文献１に開示されているように、キャビティ部分から連続する空間の通路であり、溶湯が噴流状態で金型のキャビティ内に注入される際の金型内のガスを適切に抜く働きをする。これにより、製品が成型される際に、成型品内にガスを巻き込んだりすることによる欠陥の発生を防止している。
【０００３】
このガス抜き用の通路空間は、特許文献１のように、波状の幅の広い凹凸を持った一対のガス抜き用ブロックを成形用金型に取り付けて対向させ、波状のガス抜き通路である空間を形成し、キャビティ内のガスを外部に逃がす構造となっていた。
【０００４】
【発明が解決しようとする課題】
しかし、このような金型構造では、ガス抜き用ブロックの雌型部分の凹溝部の形成上、ガス抜き通路を形成する波状部分と、その側面の覆い板とが別々に設けられていた。従って、この波状部分と覆い板の両者の位置が合わせが難しく、位置ずれが生じやすいものであった。さらに、この位置ずれによりその隙間に溶湯が浸入したりして、金型を損傷したり製品の歩留まりを低下させたりしていた。しかも、ガス抜き用ブロックの部品点数が多く、金型の組み立て工数がかかり、コストも高くなりやすいものであった
この発明は、上記従来技術の問題点に鑑みなされたもので、ガス抜き用の通路部分が簡単な構造で、且つガス抜きが容易確実なダイカスト用金型を提供することを目的とする。
【０００５】
【課題を解決するための手段】
この発明は、一対の成型用金型から成り、この成型用金型には成型用キャビティに連通するガス抜き通路を形成するガス抜き用ブロックが設けられ、各ガス抜き用ブロックは、互いに対向する複数の凸条部と凹溝部により各々構成された波状部を有し、この波状部は互いに対向した状態で所定間隔の隙間を形成し、この隙間がガス抜き通路として上記成型用キャビティに連通し、上記ガス抜き用ブロックの一方は、上記波状部を備えた波状部構成部材とこの波状部構成部材の基部を収容し固定した凹形状の保持部材とで構成されているダイカスト用金型である。
【０００６】
また、上記波状部構成部材の基部は、端部に向かうに従い広がり互いに対向した一対の側面によるテーパ部を備え、上記保持部材の収容部はこのテーパ部が嵌合する凹形状に形成されている。さらに、上記波状部は、角を丸めた台形波状または矩形波状に形成されている。
【０００７】
この発明のダイカスト用金型は、成形用金型内に設けられたガス抜き用金型の雌型を、波状部構成部材とその基部を収容し固定する凹形状の保持部材により構成し、波状部構成部材と保持部材との隙間に溶湯が浸入しないようにしたものである。
【０００８】
【発明の実施の形態】
以下、この発明の一実施形態について、図面に基づいて説明する。この実施形態のダイカスト用金型１０は、図１に示すように、成型用金型である固定型１１と可動型１２とを備え、固定型１１及び可動型１２の上部に、ガス抜き用ブロック１３，１４が各々埋設され固定されている。ガス抜き用ブロック１３，１４は、固定型１１と可動型１２とにより形成される成型用キャビティ１６に連通するガス抜き通路を形成するもので、可動型１２のガス抜き通路１８に一端が連通している。
【０００９】
固定型１１に設けられたガス抜き用ブロック１３は雄型であり、波状部である複数の凸条部２０が互いに平行に一定間隔で形成され、凸条部２０の長手方向に対して直角方向の断面が波形に設けられて波状部を構成している。
【００１０】
また、可動型１２に設けられたガス抜き用ブロック１４は雌型であり、波状部である複数の溝状の凹溝部２２が平行に一定間隔で形成された波状部構成部材２４と、この波状部構成部材２４を収容した凹形状の保持部材２６とから成る。凹溝部２２は凸条部２０と等ピッチで形成され、図２に示すように、凸条部２０を凹溝部２２がほぼ一定の隙間を空けて収容し、凹溝部２２間の仕切部２７は凸条部２０間の谷間２８に一定の隙間を形成して入り込んでいる。この一定の隙間は、ガス抜き用ブロック１３の通路２９を介して、固定型１１と可動型１２のガス抜き通路１８に連通し、波状のガス抜き通路３０を形成している。ガス抜き通路３０の他端は、ガス抜き用ブロック１３，１４の端部に連通して、大気に解放されている。なお、このガス抜き通路３０は通路２９に繋がる最初の数本の凹凸部による隙間を僅かに広くし、その後の隙間を僅かに狭いものとするとよい。これにより、ガスの排出がより容易となるとともに溶湯の噴出を確実に防止する。
【００１１】
ガス抜き用ブロック１４は、波状部構成部材２４の基部２４ａが下端部に向かって広がったテーパ部３２が両側面に形成され、このテーパ部３２を有する基部２４ａと同形の収容空間が形成され、基部２４ａを密に嵌合する収容部３４が保持部材２６に形成されている。
【００１２】
また、波状部構成部材２４の波状部である凹溝部２２が形成された部分は、凹溝部２２の解放面に向かうに従いテーパ３２とは逆に広がる形状に設けられている。このガス抜き用ブロック１４が２部材で構成されているのは、凹溝部２２が保持部材２６の型の合わせ面よりも内側に形成されるため、凹溝部２２の溝形成を容易且つ安価にするために、波状部構成部材２４を別体としている。
【００１３】
この実施形態のダイカスト用金型１０の組み立ては、固定型１１にガス抜き用ブロック１３を図示しないボルトにより固定し、凸条部２０が固定型１１の合わせ面から突出した状態に設ける。また、可動型１２に設けるガス抜き用ブロック１４は、先ず、波状部構成部材２４の基部２４ａを、保持部材２６の収容部３４に合わせて側方から摺動させて嵌合する。位置決めした後、図示しないボルトにより波状部構成部材２４と保持部材２６とを一体に固定する。この後、ガス抜き用ブロック１４を可動型１２の所定位置に固定する。このとき、凹溝部２２は固定型１１の凸条部２０と対向して位置する。
【００１４】
このダイカスト用金型１０を用いたダイカスト成型は、周知の通り、図示しない射出プランジャーにより、溶湯が金型の湯口から成型用キャビティ１６に噴流され、その際に成型用キャビティ１６内のガスが、ガス抜き通路１８を経て、ガス抜き用ブロック１３，１４により形成される波状のガス抜き通路３０に逃げ、金型外に放出される。また、この波状のガス抜き通路３０により、溶湯が波形部分に接触する際に冷却凝固され、溶湯のフラッシングが防止される。
【００１５】
この実施形態のダイカスト用金型１０によれば、ガス抜き用ブロック１４が、波状部構成部材２４と保持部材の２部材で構成され、波状構成部材２４の基部２４ａを保持部材２６の収容部３４に嵌合させることにより位置決めされるので、正確に位置決めする事ができ、ずれることもない。しかもテーパ部３２により収容部３４に嵌合するので、上方に抜けることが無く、摺動方向にはピン等により簡単に固定することができる。また、ガス抜き用ブロック１３の冷却液の通路部分の形成も保持部材２６に容易に形成可能であり、ガスの吸引タイプの装置にも容易に適用可能なものである。また、ガス抜き通路３０の波状部は、角を丸めた台形波状または矩形波状に形成されているので、製品の型抜き時の型離れが良く、ガス抜き通路３０に溶湯の固まりが固着することがない。
【００１６】
【発明の効果】
この発明によれば、ガス抜き用ブロックが、波状部構成部材と保持部材との２部材で構成され、波状構成部材の基部を保持部材の収容部に嵌合させることにより、取り付け及び位置決めされ、正確に位置決め固定する事ができる。従って波状部の位置ずれもなく、溶湯が部材の当接部間の隙間に浸入したりすることもなく、金型の耐久性も増す。また、波状部構成部材のテーパ部を保持部材の収容部に嵌合するだけで正確に位置決めが成され、取り付け強度も高い。また、波状部を、角を丸めた台形波状または矩形波状とすることにより、固化した溶湯の型離れも良いものである。
【図面の簡単な説明】
【図１】この発明の第一実施形態のダイカスト用金型を示す斜視図である。
【図２】この実施形態のダイカスト用金型のガス抜き用ブロックを示す縦断面図である。
【図３】この実施形態のガス抜き用ブロックの雄型を示す平面図である。
【図４】この実施形態のガス抜き用ブロックの雄型を示す正面図である。
【図５】この実施形態のガス抜き用ブロックの雌型を示す平面図である。
【図６】この実施形態のガス抜き用ブロックの雌型を示す正面図である。
【符号の説明】
１０  ダイカスト用金型
１１  固定型
１２  可動型
１３，１４  ガス抜き用ブロック
１６  成型用キャビティ
１８，３０  ガス抜き用通路
２０  凸条部
２２  凹溝部
２４  波状部構成部材
２４ａ  基部
２６  保持部材
３２  テーパ部
３４  収容部
【図１】
2004249350.tif 000003
【図２】
2004249350.tif 000004
【図３】
2004249350.tif 000005
【図４】
2004249350.tif 000006
【図５】
2004249350.tif 000007
【図６】
2004249350.tif 000008